(57)【要約】【課題】  粘着テープの装着が簡単で、しかも安全性が高い粘着テープカッタを提供する。【解決手段】  巻き芯２ａにロール状に巻かれた粘着テープ２を着脱自在に装着する巻き芯装着部１ｂと、粘着テープ２を任意な長さに切断するカッタ４と、粘着テープ２の先端をカッタ４へガイドするテープガイド１ｇと、粘着テープ２の粘着面２ｂに接着して、粘着テープ２の先端が巻き芯２ａへ巻き戻されるのを防止する巻き戻り防止ロール６とを備え、テープ巻き戻り防止ローラ６を、巻き芯装着部１ｂが設けられたカッタ本体１に着脱自在に取り付けると共に、カッタ４の近傍に、カッタ４を覆う安全カバー５を回動自在に設けたもので、巻き戻り防止ローラ６の下側を迂回させて粘着テープ２の先端を引き出す必要がないため、粘着テープ２を巻き芯装着部１ｂに装着する際、指等に粘着面２ｂが貼り付いたり、粘着面２ｂ同士が貼り付くことがない。【選択図】  図１
2006347760.tif 000002
【特許請求の範囲】
【請求項１】
巻き芯にロール状に巻かれた粘着テープを着脱自在に装着する巻き芯装着部と、前記粘着テープを任意な長さに切断するカッタと、前記粘着テープの先端を前記カッタへガイドするテープガイドと、前記粘着テープの粘着面に接着して、前記粘着テープの先端が前記巻き芯へ巻き戻されるのを防止する巻き戻り防止ロールとを備えた粘着テープカッタであって、前記巻き戻り防止ローラを、前記巻き芯装着部が設けられたカッタ本体に着脱自在に取り付けると共に、前記カッタの近傍に、前記カッタを覆う安全カバーを回動自在に設けたことを特徴とする粘着テープカッタ。
【請求項２】
前記安全カバーより弾性リブを突設し、かつ前記弾性リブを介して前記安全カバー前記カッタ本体に回動自在に支承すると共に、前記弾性リブの一部を前記カッタ本体側に突設した円弧状の突条に圧接してなる請求項１に記載の粘着テープカッタ。
【発明の詳細な説明】
【技術分野】
【０００１】  本発明は、セロハンテープやガムテープのような粘着テープを任意な長さに切断する際使用する粘着テープカッタに関する。
【背景技術】
【０００２】  従来、セロハンテープやガムテープのような粘着テープの多くは、ロール状に巻かれていて、使用時先端部分より必要長さだけ巻き出した後適宜手段で切断して使用しているが、粘着テープの切断を容易にするため、例えば特許文献１等で粘着テープカッタが提案されている。【０００３】  前記特許文献１に記載の粘着テープカッタは、粘着テープの巻き芯を嵌合する筒状の支持部と、巻き芯より引き出した粘着テープを適当な長さで切断するカッタと、粘着テープの粘着面に接着して、粘着テープが再び巻き芯に巻き戻されるのを防止する折り曲げローラと、カッタにより粘着する際粘着テープを支持する押圧ローラと、粘着テープの長手方向の側縁を所定の幅で粘着面側に折り返して接着させる重合部形成手段とから構成されている。尚、そもそも特許文献１記載の粘着テープカッタは、粘着テープの長手方向の側縁を所定の幅で粘着面側に折り返して接着させる機能を備えた特殊なテープカッタである。
【特許文献１】特開２００４−３３１２９６号公報
【発明の開示】
【発明が解決しようとする課題】
【０００４】  しかし前記特許文献１に記載の粘着テープカッタは、そもそも、粘着テープの長手方向の側縁を所定の幅で粘着面側に折り返して接着させる機能を備えた特殊なテープカッタであるが、粘着テープの粘着面に接着して、粘着テープが巻き戻されるのを防止する折り曲げローラがカッタ本体に固定された構造のため、新たに支持体へ装着した粘着テープの先端をカッタの位置まで引き出す際、粘着テープの先端側を折り曲げローラの下側へ迂回させて引き出す作業が必要となる。【０００５】  しかし巻き芯より引き出された粘着テープは、粘着面が露出しているため、粘着テープの先端推りを折り曲げロールの下側へ迂回させる作業は、粘着テープの粘着面が指等に貼り付いたり、粘着面同士が互いに接着して粘着テープが捩れることがあり、粘着テープをセットするのに多くの時間を必要として作業性が悪い上、粘着面同士が互いに接着した場合、その部分の粘着テープは使用できなくなるため、粘着テープが無駄になる等の問題がある。【０００６】  また鋸歯状に形成されたカッタがむき出し状態となっているため、粘着テープカッタの不使用時、不用意に指等がカッタに触れた場合、怪我をする虞があると共に、押圧ローラや折り曲げローラの支持に金属製の軸を使用しているため部品コストが高い上、不要となった粘着テープカッタを廃棄する場合、粘着テープカッタに金属製の軸が含まれているため、リサイクルが難しい等の問題もある。【０００７】  本発明はかかる問題を改善するためになされたもので、粘着テープの装着が簡単で、しかも安全性が高い粘着テープカッタを提供することを目的とするものである。
【課題を解決するための手段】
【０００８】  本発明の粘着テープカッタは、巻き芯にロール状に巻かれた粘着テープを着脱自在に装着する巻き芯装着部と、粘着テープを任意な長さに切断するカッタと、粘着テープの先端をカッタへガイドするテープガイドと、粘着テープの粘着面に接着して、粘着テープの先端が巻き芯へ巻き戻されるのを防止する巻き戻り防止ロールとを備えたテープカッタであって、テープ巻き戻り防止ローラを、巻き芯装着部が設けられたカッタ本体に着脱自在に取り付けると共に、カッタの近傍に、カッタを覆う安全カバーを回動自在に設けたものである。【０００９】  前記構成により、カッタ本体の巻き芯装着部に粘着テープを装着する場合、カッタ本体より巻き戻り防止ロールを外した状態で粘着テープの先端側をテープガイド付近まで引き出すことができるため、従来のカッタ本体に固定された巻き戻り防止ローラの下側を迂回させて引き出すものに比べて、指等に粘着面が貼り付いたり、粘着面同士が貼り付くことがないため、粘着テープの装着作業が簡単かつ短時間で行えるようになり、これによって粘着テープを装着する際の作業性が格段に向上する上、粘着テープが無駄になることもないので、経済的である。【００１０】  また粘着テープカッタの不使用時、安全カバーでカッタを覆うことができるため、安全性が向上すると共に、不要となった粘着テープカッタを廃棄する場合、金属製のカッタのみを取り除くだけでよいため、リサイクルも容易に行える。【００１１】  本発明の粘着テープカッタは、安全カバーより弾性リブを突設し、かつ弾性リブを介して安全カバーカッタ本体に回動自在に支承すると共に、弾性リブの一部をカッタ本体側に突設した円弧状の突条に圧接させたものである。【００１２】  前記構成により、カッタにより粘着テープを切断する際、カッタ本体の向きがどの位置にあっても、弾性リブと突条の摩擦力により安全カバーが不安定に揺動することがないため、安全カバーに邪魔されることなく粘着テープの切断が行えるようになり、粘着テープカッタの使い勝手が向上する。
【発明の効果】
【００１３】  本発明の粘着テープカッタによれば、カッタ本体より巻き戻り防止ローラを取り外すことにより、巻き戻り防止ローラの下側を迂回させて粘着テープの先端を引き出す必要がないため、粘着テープをカッタ本体に装着する際、指等に粘着面が貼り付いたり、粘着面同士が貼り付くことがなく、これによって作業性が格段に向上する。
【発明を実施するための最良の形態】
【００１４】  本発明の実施の形態を、図面を参照して詳述する。【００１５】  図１は粘着テープカッタの斜視図、図２は側面図、図３は図１のＡ−Ａ線に沿う断面図、図４は図２のＢ円内の拡大図、図５は図３のＣ−Ｃ線に沿う断面図、図６は図４のＤ−Ｄ線に沿う断面図である。【００１６】  カッタ本体１は、側板１ａと、側板１ａの基端がわ側面に突設された筒状の巻き芯装着部１ｂとからなり、全体が合成樹脂により一体成形されている。【００１７】  巻き芯装着部１ｂの外径は、粘着テープ２がロール状に巻かれた巻き芯２ａの内径より僅かに小さく形成されていて、側板１ａと反対側の端部より、粘着テープ２の巻き芯２ａが着脱自在に嵌合できるようになっている。【００１８】  粘着テープ２は、梱包用等に使用されるガムテープ（布テープ）やセロハンテープ、クラフトテープ、ゴムテープ、ビニールテープ等であって、テープの一側面に粘着面２ｂが形成されており、粘着面２ｂを内側にして巻き芯２ａの外周面にロール状に巻かれている。【００１９】  カッタ本体１の側板１ａは、先端側が順次幅狭となっていて、先端側にテープ支持部１ｃが形成され、テープ支持部１ｃの下部にテープ押さえアーム３の一端側が枢着されている。【００２０】  テープ押さえアーム３もカッタ本体１と同様な樹脂により板状に成形されていて、巻き芯装着部１ｂに装着された粘着テープ２の外周面に沿うよう湾曲されており、両側縁には粘着テープ２の両側面に当接することにより、粘着テープ２の巻き芯１ａが巻き芯装着部１ｂより抜け出すのを防止する係止縁３ａが突設されている。【００２１】  係止縁３ａの一端側には、互いに対向するよう一対のピン孔３ｂが形成されていて、これらピン孔３ｂは、テープ支持部１ｃの両側下部に突設されたピン１ｄに嵌合されており、これによってピン１ｄを中心にテープ押さえアーム３が巻き芯装着部１ｂの接離方向へ回動自在となっている。【００２２】  テープ支持部１ｃは、図３に示すように底板１ｅにより側板１ａと連結された端板１ｆを有していて、この端板１ｆと側板１ａの間にほぼ半筒状のテープガイド１ｇが設けられている。【００２３】  テープガイド１ｇは、巻き芯２ａより引き出された粘着テープ２の背面に当接して、粘着テープ２をカッタ４側へガイドするもので、テープガイド１ｇの一端側と底板１ｅの間にカッタ４の基端部が挟着されている。【００２４】  カッタ４は、粘着テープ２の幅よりやや幅の広い金属板により形成されていて、先端部が鋸歯となっており、このカッタ４を覆うように安全カバー５が設けられている。【００２５】  安全カバー５は、カッタ４を覆える大きさの板状体よりなり、先端部にカッタ４の先端を覆う折り曲げ部５ａが形成されている。【００２６】  安全カバー５の両端には、折り曲げ部５ａと反対の方向に一対の弾性リブ５ｂが突設されていて、これら弾性リブ５ｂの先端側に形成されたピン孔５ｃがテープ支持部１ｃの両側面に突設されたピン１ｈに嵌合されていると共に、ピン１ｈの近傍には、ピン１ｈを中心とする円弧状の突条１ｉが突設されていて、これら突条１ｉに弾性リブ５ｂの先端が圧接されており、これによってピン１ｈを中心に安全カバー５を回動した際、安全カバー５に抵抗感とク���ック感が得られるようになっている。【００２７】  一方カッタ本体１の巻き芯装着部１ｂとテープガイド１ｇの間には、テープガイド１ｇに寄った位置に、巻き芯２ａより引き出された粘着テープ２が再び巻き芯２ａ側に戻されるのを防止する巻き戻り防止ローラ６が回転自在に設けられている。【００２８】  巻き戻り防止ローラ６は、図６に示すように軸杆６ａの外周面に多数のフランジ６ｂを長手方向に等間隔に突設した構造で、樹脂により一体成形されている。【００２９】  各フランジ６ｂの外周は、粘着テープ２の粘着面２ｂに軽く接着するように鋭利に形成されており、軸杆６ａの両端部は、側板１ａと端板１ｆの対向面に形成された軸受け１ｊに上方より着脱自在に圧入できるようになっている。【００３０】  軸受け１ｊは上面が開口するほぼＣ字形をなしていて、側板１ａ及び端板１ｆ成形時、一体成形されている。【００３１】  次に前記構成された粘着テープカッタの作用を説明する。【００３２】  使用に当たっては、カッタ本体１の巻き芯装着部１ｂに、粘着テープ２の巻き芯２ａを一端側より装着する。【００３３】  次に軸受け１ｊより巻き戻り防止ローラ６を取り外した状態で、粘着面２ｂを上向きにして粘着テープ２の先端を引き出し、先端部がテープガイド１ｇ付近に達したら、粘着テープ２の引き出しを止めて、巻き戻り防止ローラ６を軸受け１ｊに上方より圧入するもので、従来のようにカッタ本体１に固定された巻き戻し防止ローラ６の下側を迂回させて粘着テープ２をテープガイド１ｇまで引き出す必要がないため、引き出し作業中粘着面２ｂが指に貼り付いたり、粘着面２ｂ同士が互いに接着することがない。【００３４】  また軸受け１ｊに巻き戻り防止ローラ６を取り付けると、粘着テープ２の粘着面２ｂが巻き戻り防止ローラ６のフランジ６ｂに軽く接着するので、粘着テープ２の先端が巻き芯２ａ側へ巻き戻される心配がない。【００３５】  一方粘着テープ２を梱包等に使用する場合は、カッタ４を覆っている安全カバー５を、図２の実線位置から仮想線の位置まで回動し、この状態で粘着テープ２の先端を必要長さ引き出して対象物に貼着したら、カッタ４の先端で粘着テープ２を切断するもので、このとき安全カバー５は、突条１ｉとの摩擦力で不安定に揺動することがないため、カッタ本体１の向きをどの方向にしても、安全カバー５に邪魔されることなく粘着テープ２の切断が行える。【００３６】  またテープカッタの使用時、テープ押さえアームを粘着テープ２の外周面に押しつけることにより、粘着テープ２の巻き芯２ａが巻き芯装着部１ｂより抜け出すことがないので、１度に多くの粘着テープ２を引き出すことができ、これによって梱包作業等の作業能率が向上する。
【産業上の利用可能性】
【００３７】  本発明の粘着テープカッタは、巻き戻り防止ローラの下側を迂回させて粘着テープの先端を引き出す必要がないため粘着テープの装着が簡単で、しかも安全性が高いことから、梱包作業等に使用する粘着カッタを任意な長さに切断する粘着テープカッタに最適である。
【図面の簡単な説明】
【００３８】
【図１】  本発明の実施の形態になるテープカッタの斜視図である。
【図２】  本発明の実施の形態になるテープカッタの側面図である。
【図３】  図１のＡ−Ａ線に沿う断面図である。
【図４】  図２のＢ円内の拡大図である。
【図５】  図３のＣ−Ｃ線に沿う断面図である。
【図６】  図４のＤ−Ｄ線に沿う断面図である。
【符号の説明】
【００３９】１      カッタ本体
１ａ    側板
１ｂ    巻き芯装着部
１ｇ    テープガイド
２      粘着テープ
２ａ    巻き芯
２ｂ    粘着面
５      安全カバー
６      巻き戻り防止ローラ
【図１】
2006347760.tif 000003
【図２】
2006347760.tif 000004
【図３】
2006347760.tif 000005
【図４】
2006347760.tif 000006
【図５】
2006347760.tif 000007
【図６】
2006347760.tif 000008